(57)【要約】  測位装置１００により測定された各時点の現在位置のデータを用いて、１つ１つの点を所定形状で描画した移動軌跡点列を生成する軌跡点列生成部１１を備え、移動軌跡点列を生成する際に、巡回業務で単なる移動中のときに測位された現在位置に基づいて描画される点と、営業活動、チラシ配り、集金、各種調査などの巡回業務を実際に行っていてほぼ一箇所に留まっているときに測位された現在位置に基づいて描画される点とを識別可能な態様で描画することにより、作業員が実際にどの場所に留まって巡回業務を行い、どのルートを移動したかといったことが一目瞭然となるようにする。
2014030234.tif 000002
【特許請求の範囲】
【請求項１】
現在位置を所定間隔毎に測定する測位装置と、上記測位装置により測定された各時点の現在位置のデータを処理するデータ処理装置とを備えた巡回業務の施行管理システムであって、上記データ処理装置は、
上記測位装置により測定された各時点の現在位置のデータを用いて、１つ１つの点を所定形状で描画した移動軌跡点列を生成する軌跡点列生成部と、
上記軌跡点列生成部により生成された上記移動軌跡点列を出力する軌跡点列出力部とを備え、
上記軌跡点列生成部は、上記１つ１つの点を、巡回業務を行う作業員が移動中の場合と非移動中の場合とを識別可能な態様で描画することを特徴とする巡回業務の施行管理システム。
【請求項２】
上記軌跡点列生成部は、上記各時点の現在位置を上記１つ１つの点として上記移動軌跡点列を生成し、上記１つ１つの点を、透明度が０％より大きく１００％より小さい色を有する点として描画することを特徴とする請求項１に記載の巡回業務の施行管理システム。
【請求項３】
上記軌跡点列生成部は、上記各時点の現在位置を所定距離範囲毎にグルーピングし、各グループを上記１つ１つの点として上記移動軌跡点列を生成し、上記１つ１つの点を、グループに内在する現在位置の数に応じて描画態様を異ならせた点として描画することを特徴とする請求項１に記載の巡回業務の施行管理システム。
【請求項４】
上記測位装置は固有の識別情報を有し、上記各時点の現在位置のデータを上記識別情報と共に出力するようになされ、
上記識別情報に関連付けて、上記各時点の現在位置のデータと、上記測位装置を携帯するユーザに関するデータとをデータベースに記録して管理するデータベース管理部を更に備えたことを特徴とする請求項１に記載の巡回業務の施行管理システム。
【請求項５】
測位装置によって所定間隔毎に測定された現在位置のデータを処理するデータ処理装置に用いられる巡回業務の施行管理プログラムであって、
上記測位装置により測定された各時点の現在位置のデータを用いて、上記各時点の現在位置を１つ１つの点とし、当該１つ１つの点を、透明度が０％より大きく１００％より小さい色を有する所定形状の点として描画した移動軌跡点列を生成する軌跡点列生成手段、および
上記軌跡点列生成手段により生成された上記移動軌跡点列を出力する軌跡点列出力手段、
としてコンピュータを機能させるための巡回業務施行管理プログラム。
【請求項６】
測位装置によって所定間隔毎に測定された現在位置のデータを処理するデータ処理装置に用いられる巡回業務の施行管理プログラムであって、
上記測位装置により測定された各時点の現在位置のデータを用いて、上記各時点の現在位置を所定距離範囲毎にグルーピングして各グループを１つ１つの点とし、当該１つ１つの点を、グループに内在する現在位置の数に応じて描画態様を異ならせた点として描画した移動軌跡点列を生成する軌跡点列生成手段、および
上記軌跡点列生成手段により生成された上記移動軌跡点列を出力する軌跡点列出力手段、
としてコンピュータを機能させるための巡回業務施行管理プログラム。
【発明の詳細な説明】
【技術分野】
【０００１】
本発明は、巡回業務の施行管理システムおよび施行管理プログラムに関するものである。
【背景技術】
【０００２】
外回りの営業活動、訪宅によるチラシ配りや集金、各種調査など、作業員が住宅地を巡回して行う業務がある。一般に、このような巡回業務は、会社内で職務として命じられた複数人の作業員が手分けをして行っている。また、このような巡回業務を受託して行う専門業者も存在する。【０００３】
この巡回業務を確実に行うために、あるいは、確実に行ったかどうかを後から確認できるようにするために、従来、各作業員による巡回業務の実施状況を管理するシステムが活用されている。例えば、作業員が行った業務の内容を日報として端末からデータ入力し、サーバ等で一元管理するシステムが活用されている。この種の日報システムを用いれば、どの作業員が、いつ、どのエリアを巡回したかといった実施状況を日報データとして管理することが可能となる。【０００４】
しかしながら、日報システムにおいて日報データを入力するのは、基本的には巡回業務を行った作業員その本人である。そのため、データ入力の内容に必ずしも客観性が担保されず、予定している巡回業務を全て確実に行ったかどうかを日報データから確認しようとしても、それを１００％信頼することができないという問題があった。【０００５】
なお、ＧＰＳ受信機等の位置測定装置を用いて車両または人の移動位置を履歴として記録し、走行軌跡または歩行軌跡を画面表示できるようにしたシステムが提供されている（例えば、特許文献１〜３参照）。この種のシステムを巡回業務の管理に応用すれば、作業員がいつどのエリアをどのルートで巡回したかということを、客観的なデータとして記録して、後から画面表示により確認することができる。【０００６】
【特許文献１】特開平８−２０１０８１号公報
【特許文献２】特開２００２−３２８９６号公報
【特許文献３】特開２００６−２５９４１９号公報
【発明の開示】
【０００７】
しかしながら、作業員の歩行軌跡を客観的なデータとして残すことができたとしても、それは単に歩行の実績を示すに過ぎない。そのため、従来のシステムでは、単なる移動ではなくて、営業活動、チラシ配り、集金、各種調査などの巡回業務を確かに行ったかどうかまでは確認することができないという問題があった。
【０００８】
本発明は、このような問題を解決するために成されたものであり、作業員による巡回業務の具体的な実施の様子を容易に推認できるようなシステムを提供することを目的とする。
【０００９】
上記した課題を解決するために、本発明では、測位装置により測定された各時点の現在位置のデータを用いて、１つ１つの点を所定形状で描画した移動軌跡点列を生成する。その際、当該１つ１つの点を、巡回業務を行う作業員が移動中の場合と非移動中の場合とを識別可能な態様で描画するようにしている。
【００１０】
上記のように構成した本発明によれば、作業員が営業活動、チラシ配り、集金、各種調査などの巡回業務を実際に行っていれば、ほぼ一箇所に留まっているときに測位された現在位置に基づいて描画される点が、単なる移動中のときに測位された現在位置に基づいて描画される点と識別可能な態様で描画される。これにより、移動軌跡点列を構成する各点の描画態様を参考にすることにより、作業員が実際にどの場所に留まって巡回業務を行い、どのルートを移動したかといったことが一目瞭然となり、作業員による巡回業務の具体的な実施の様子を容易に推認することができるようになる。
【図面の簡単な説明】
【００１１】
【図１】第１の実施形態による巡回業務の施行管理システムの構成例を示すブロック図である。
【図２】第１の実施形態の軌跡点列生成部により生成される移動軌跡点列の一例を示す図である。
【図３】第２の実施形態による巡回業務の施行管理システムの構成例を示すブロック図である。
【図４】第２の実施形態の軌跡点列生成部により生成される移動軌跡点列の一例を示す図である。
【発明を実施するための最良の形態】
【００１２】
（第１の実施形態）
以下、本発明の第１の実施形態を図面に基づいて説明する。図１は、第１の実施形態による巡回業務の施行管理システムの構成例を示すブロック図である。図１に示すように、第１の実施形態による巡回業務の施行管理システムは、測位装置１００とデータ処理装置２００とディスプレイ３００とを備えて構成されている。【００１３】
測位装置１００は、現在位置を所定間隔毎に測定し、各時点で測定された現在位置のデータを内部メモリに逐次保存する。この測位装置１００は、営業活動、チラシ配り、集金、各種調査などの巡回業務を行う作業員が携帯可能であり、作業員の現在位置を所定間隔毎に検出する。例えば、測位装置１００は、ＧＰＳ受信機を内蔵しており、複数のＧＰＳ衛星から送られてくる電波をＧＰＳアンテナで受信して、３次元測位処理あるいは２次元測位処理を行って作業員の絶対位置（例えば、経度・緯度情報）を検出する。【００１４】
測位装置１００は、作業員毎に固有の識別情報を内部メモリに記録しており、各時点で測定された現在位置のデータを当該識別情報に関連付けて保存する。そして、測位装置１００は、内部メモリに保存された現在位置のデータを、保存が行われた後の任意のタイミングで、識別情報と共にデータ処理装置２００に出力するようになされている。【００１５】
データ処理装置２００は、例えばパーソナルコンピュータにより構成され、測位装置１００の内部メモリに保存された現在位置のデータを入力して処理する。データの入力は、例えばＵＳＢ（Universal Serial Bus）等の有線インタフェースを用いて行ってもよいし、Bluetooth（登録商標）、無線ＬＡＮ、ＮＦＣ（Near Field Communication）等の無線インタフェースを用いて行ってもよい。【００１６】
データ処理装置２００には、ディスプレイ３００が接続されている。また、データ処理装置２００は、その機能構成として、地図データ記憶部１０、軌跡点列生成部１１、軌跡点列出力部１２、データベース管理部１３、データベース１４およびデータ読出部１５を備えている。なお、データベース管理部１３およびデータベース１４は、データ処理装置２００とは別のシステムに設けるようにしてもよい。【００１７】
データ処理装置２００の軌跡点列生成部１１、軌跡点列出力部１２、データベース管理部１３およびデータ読出部１５の機能は、実際にはＣＰＵあるいはＭＰＵ、ＲＡＭ、ＲＯＭなどを備えて構成され、ＲＡＭやＲＯＭに記憶された巡回業務施行管理プログラムが動作することによって実現できる。【００１８】
したがって、データ処理装置２００が上記機能を果たすように動作させる巡回業務施行管理プログラムを例えばＣＤ−ＲＯＭのような記録媒体に記録し、当該巡回業務施行管理プログラムをデータ処理装置２００に読み込ませることによって実現できるものである。【００１９】
巡回業務施行管理プログラムを記録する記録媒体としては、ＣＤ−ＲＯＭ以外に、フレキシブルディスク、ハードディスク、磁気テープ、光ディスク、光磁気ディスク、ＤＶＤ、不揮発性メモリカード等を用いることができる。また、巡回業務施行管理プログラムをインターネット等のネットワークを介してデータ処理装置２００にダウンロードするようにしてもよい。【００２０】
地図データ記憶部１０は、道路を表す道路データおよび道路に面する各種施設を表す施設データを含む地図データを記憶するものであり、例えばハードディスク等の記録媒体により構成される。道路データおよび施設データには、その存在位置を表す位置情報（例えば、経度・緯度情報）が含まれている。【００２１】
軌跡点列生成部１１は、測位装置１００またはデータ読出部１５より入力された各時点の現在位置のデータを用いて、１つ１つの点を所定形状で描画した移動軌跡点列を生成する。所定形状は、例えば所定の大きさを有する円形とする。本実施形態において、軌跡点列生成部１１は、地図データ記憶部１０から地図データを読み出し、測位装置１００より入力された各時点の現在位置に対応する地図上の位置に１つ１つの円を重ねて描画する態様で、作業員の移動軌跡点列を生成する。【００２２】
ここで、軌跡点列生成部１１は、各時点の現在位置に対応する１つ１つの円を、巡回業務を行う作業員が移動中の場合と非移動中の場合とを識別可能な態様で描画する。具体的には、軌跡点列生成部１１は、各時点の現在位置を１つ１つの円として移動軌跡点列を生成し、当該１つ１つの円を、透明度が０％より大きく１００％より小さい色を有する円として描画する。本実施形態において、透明度は例えば７０％とする。【００２３】
図２は、軌跡点列生成部１１により生成される移動軌跡点列の一例を示す図である。図２に示すように、作業員が移動中の場合は、移動軌跡点列を構成する１つ１つの円は互いに重ならず、作業員の移動速度と測位装置１００による測位の時間間隔とに応じた距離を空けて各円が描画される。それぞれの円には透明化処理が施されているので、円の下側の地図が透けるように描かれている。【００２４】
一方、作業員が非移動中の場合、例えば、住宅前に停止して営業活動、チラシ配り、集金、各種調査などを行っている場合は、移動軌跡点列を構成する１つ１つの円が互いに重なった状態で描画される。それぞれの円には透明化処理が施されているが、重なることで透明度が落ちていき、重なった部分の色が濃く描画されていく。なお、測位装置１００の測位誤差があるので、作業員が停止していても１つ１つの円が完全に重ならないこともあるが、移動中のときに描画される円どうしに比べて狭い距離間隔で近傍に描画される。【００２５】
このように、軌跡点列生成部１１は、移動軌跡点列を構成する１つ１つの円の密集度および透明度により、当該１つ１つの円を、巡回業務を行う作業員が移動中の場合と非移動中の場合とを識別可能な態様で描画している。【００２６】
軌跡点列出力部１２は、軌跡点列生成部１１により生成された移動軌跡点列を出力する。本実施形態では、軌跡点列出力部１２は、地図上に１つ１つの円を重ねて描画した態様の移動軌跡点列をディスプレイ３００に出力して表示させる。ここでは図示していないが、軌跡点列出力部１２は、地図上に１つ１つの円を重ねて描画した態様の移動軌跡点列をプリンタに出力して印刷するようにしてもよい。【００２７】
軌跡点列生成部１１は、測位装置１００より入力した各時点の現在位置のデータを、作業員が携帯する測位装置１００の識別情報と共にデータベース管理部１３に出力する。データベース管理部１３は、測位装置１００の識別情報に関連付けて、軌跡点列生成部１１より入力される各時点の現在位置のデータと、測位装置１００を携帯する作業員に関するデータとをデータベース１４に記録して管理する。なお、測位装置１００の識別情報（作業員に固有の識別情報）と、当該作業員に関するデータは、予めまたは事後的にデータベース１４に入力されて記録されるものとする。【００２８】
ここで、作業員に関するデータは、例えば、作業員が所属する会社の名称、部署名、氏名、作業日時、作業エリアなどの情報を含むデータである。ただし、ここに挙げた情報は単なる一例に過ぎない。【００２９】
また、作業員に固有の識別情報は、例えば、データベース管理部１３が発行してデータベース１４に記録する。データベース管理部１３が発行した識別情報は、上述した有線インタフェースまたは無線インタフェースを用いて測位装置１００に送信され、測位装置１００の内部メモリに記録される。なお、識別情報は必ずしもデータベース管理部１３が発行する必要はなく、データ処理装置２００とは別のシステムで識別情報の発行および管理を行うようにしてもよい。【００３０】
データ読出部１５は、例えばキーボードやマウスなどの入力インタフェース（図示せず）を用いて入力された識別情報に基づいて、当該識別情報に対応する現在位置のデータをデータベース１４から読み出して軌跡点列生成部１１に出力する。なお、現在位置のデータを読み出すためのキーワードは識別情報に限られるものではなく、データベース１４を構成する項目（会社の名称、部署名、氏名、作業日時、作業エリアなど）の何れか１つまたは複数の組み合わせであってもよい。【００３１】
軌跡点列生成部１１は、データ読出部１５から現在位置のデータが供給された場合、当該現在位置のデータと、地図データ記憶部１０から読み出した地図データとに基づいて、地図上に１つ１つの円を重ねて描画する態様で移動軌跡点列を生成する。【００３２】
以上詳しく説明したように、第１の実施形態による巡回業務の施行管理システムによれば、作業員が巡回業務で単なる移動中のときに測位された現在位置については、複数の円が重なることなく描画されるので、設定された透明度のまま円が描画される。【００３３】
一方、営業活動、チラシ配り、集金、各種調査などの巡回業務を実際に行っていてほぼ一箇所に留まっているときに測位された現在位置については、複数の円が重なった状態あるいは密集した状態で描画されるため、重なっている部分については透明度が落ちて濃い色で描画されることとなる。【００３４】
これにより、移動軌跡点列を構成する各円の透明度（濃さ）や密集度を参考にすることにより、作業員が巡回業務を確かに行ったかどうかということを高い確度で推認することができる。すなわち、地図上に描画されている移動軌跡点列に基づいて、作業員がどの道路を移動し、どの住宅の近傍でどの程度の時間とどまっていたかが一目瞭然となるので、作業員が巡回業務を行っていたときの具体的な様子を移動軌跡点列から容易に推認することができる。【００３５】
（第２の実施形態）
次に、本発明の第２の実施形態を図面に基づいて説明する。図３は、第２の実施形態による巡回業務の施行管理システムの構成例を示すブロック図である。なお、この図３において、図１に示した符号と同一の符号を付したものは同一の機能を有するものであるので、ここでは重複する説明を省略する。【００３６】
図３に示すように、第２の実施形態による巡回業務の施行管理システムは、測位装置１００とデータ処理装置２００とディスプレイ３００とを備えて構成されている。データ処理装置２００は、その機能構成として、地図データ記憶部１０、軌跡点列生成部２１、軌跡点列出力部１２、データベース管理部１３、データベース１４およびデータ読出部１５を備えている。なお、データベース管理部１３およびデータベース１４は、データ処理装置２００とは別のシステムに設けるようにしてもよい。【００３７】
データ処理装置２００の軌跡点列生成部２１、軌跡点列出力部１２、データベース管理部１３およびデータ読出部１５の機能は、実際にはＣＰＵあるいはＭＰＵ、ＲＡＭ、ＲＯＭなどを備えて構成され、ＲＡＭやＲＯＭに記憶された巡回業務施行管理プログラムが動作することによって実現できる。【００３８】
第２の実施形態においても、巡回業務施行管理プログラムを記録する記録媒体としては、ＣＤ−ＲＯＭ、フレキシブルディスク、ハードディスク、磁気テープ、光ディスク、光磁気ディスク、ＤＶＤ、不揮発性メモリカード等を用いることができる。また、巡回業務施行管理プログラムをインターネット等のネットワークを介してデータ処理装置２００にダウンロードするようにしてもよい。【００３９】
軌跡点列生成部２１は、測位装置１００またはデータ読出部１５より入力された各時点の現在位置を所定距離範囲毎にグルーピングし、各グループを１つ１つの円として移動軌跡点列を生成する。このとき軌跡点列生成部２１は、１つ１つの円を、グループに内在する現在位置の数に応じて描画態様を異ならせた円として描画する。異なる描画態様とは、例えば、円の色であってもよいし、円の大きさであってもよい。【００４０】
各時点の現在位置をグルーピングする所定距離範囲の大きさは任意に決めてよいが、測位装置１００の測位誤差の大きさを勘案して決めるのが好ましい。例えば、測位装置１００の測位誤差が２[ｍ]程度であれば、所定距離範囲の大きさも２[ｍ]あるいはそれより若干大きい３[ｍ]程度に設定する。【００４１】
軌跡点列生成部２１は、地図データ記憶部１０から地図データを読み出し、地図上に各グループの円を重ねて描画する態様で、作業員の移動軌跡点列を生成する。各グループの円を表示する地図上の位置は、例えば、グループ内に属する各時点の現在位置の平均値であってもよいし、グループ内に属する各時点の現在位置のうち最初の時点の現在位置であってもよい。これは任意に決めることが可能である。【００４２】
図４は、軌跡点列生成部２１により生成される移動軌跡点列の一例を示す図である。図４に示すように、作業員が移動中の場合は、測位装置１００より入力された各時点の現在位置は、作業員の移動速度と測位装置１００による測位の時間間隔とに応じた距離を空けて離散的に存在することになる。この場合、グルーピングの単位となる所定距離範囲内には１〜２個程度の少ない数の現在位置が属することになるので、そのグループについては少ない数に応じた小さな円が描かれている。【００４３】
一方、作業員が非移動中の場合は、測位装置１００より入力された各時点の現在位置は、測位装置１００の測位誤差の範囲内で互いに近傍に存在することになる。この場合、グルーピングの単位となる所定距離範囲内には、作業員の停止時間に応じて数多くの現在位置が属することになるので、そのグループについては多くの数に応じた大きな円が描かれている。【００４４】
このように、第２の実施形態において、軌跡点列生成部２１は、移動軌跡点列を構成する１つ１つのグループの円の大きさにより、当該１つ１つの円を、巡回業務を行う作業員が移動中の場合と非移動中の場合とを識別可能な態様で描画している。【００４５】
以上詳しく説明したように、第２の実施形態による巡回業務の施行管理システムによれば、作業員が巡回業務で単なる移動中のときに測位された現在位置については、１つのグループを構成する所定距離範囲の中に入る数が少なくなるので、数が少ない場合の態様で円が描画される。【００４６】
一方、営業活動、チラシ配り、集金、各種調査などの巡回業務を実際に行っていてほぼ一箇所に留まっているときに測位された現在位置については、１つのグループを構成する所定距離範囲の中に入る数が多くなるので、数が多い場合の態様で点が描画されることとなる。【００４７】
これにより、移動軌跡点列を構成する各円の大きさを参考にすることにより、作業員が巡回業務を確かに行ったかどうかということを高い確度で推認することができる。すなわち、地図上に描画されている移動軌跡点列に基づいて、作業員がどの道路を移動し、どの住宅の近傍でどの程度の時間とどまっていたかが一目瞭然となるので、作業員が巡回業務を行っていたときの具体的な様子を移動軌跡点列から容易に推認することができる。【００４８】
なお、上記第１および第２の実施形態では、１つ１つの移動軌跡点を円で描画する例について説明したが、本発明はこれに限定されない。例えば、四角あるいは三角など他の形状で描画するようにしてもよい。【００４９】
また、上記第１および第２の実施形態では、測位装置１００は通信機能を持たず、内部メモリに蓄積した現在位置のデータを有線インタフェースまたは無線インタフェースを用いてデータ処理装置２００に出力する例について説明したが、本発明はこれに限定されない。【００５０】
例えば、測位装置１００に通信機能を持たせ、所定時間間隔毎に測位した現在位置のデータを、インターネット等の通信ネットワークを介してサーバに逐次送信し、当該サーバにおいて現在位置のデータを蓄積するようにしてもよい。この場合、サーバに蓄積された現在位置のデータをデータ処理装置２００に送信するようにしてもよいし、データ処理装置２００の機能をサーバに持たせるようにしてもよい。【００５１】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【図１】
2014030234.tif 000003
【図２】
2014030234.tif 000004
【図３】
2014030234.tif 000005
【図４】
2014030234.tif 000006
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
現在位置を所定間隔毎に測定する測位装置と、上記測位装置により測定された各時点の現在位置のデータを処理するデータ処理装置とを備えた巡回業務の施行管理システムであって、上記データ処理装置は、
上記測位装置により測定された各時点の現在位置のデータを用いて、当該各時点の現在位置を１つ１つの点とし、当該１つ１つの点を所定の同一形状で描画した移動軌跡点列を生成する軌跡点列生成部と、
上記軌跡点列生成部により生成された上記移動軌跡点列を出力する軌跡点列出力部とを備え、
上記軌跡点列生成部は、上記１つ１つの点を、透明度が０％より大きく１００％より小さい色を有する所定形状の点として描画することにより、上記移動軌跡点列を、巡回業務を行う作業員が移動中の場合と非移動中の場合とを識別可能な態様で描画することを特徴とする巡回業務の施行管理システム。
【請求項２】
上記測位装置は固有の識別情報を有し、上記各時点の現在位置のデータを上記識別情報と共に出力するようになされ、
上記識別情報に関連付けて、上記各時点の現在位置のデータと、上記測位装置を携帯するユーザに関するデータとをデータベースに記録して管理するデータベース管理部を更に備えたことを特徴とする請求項１に記載の巡回業務の施行管理システム。
【請求項３】
測位装置によって所定間隔毎に測定された現在位置のデータを処理するデータ処理装置に用いられる巡回業務の施行管理プログラムであって、
上記測位装置により測定された各時点の現在位置のデータを用いて、上記各時点の現在位置を１つ１つの点とし、当該１つ１つの点を、透明度が０％より大きく１００％より小さい色を有する所定の同一形状の点として描画した移動軌跡点列を生成することにより、上記移動軌跡点列を、巡回業務を行う作業員が移動中の場合と非移動中の場合とを識別可能な態様で描画する軌跡点列生成手段、および
上記軌跡点列生成手段により生成された上記移動軌跡点列を出力する軌跡点列出力手段、
としてコンピュータを機能させるための巡回業務施行管理プログラム。
【手続補正２】
【補正対象書類名】明細書
【補正対象項目名】０００９
【補正方法】変更
【補正の内容】
【０００９】
上記した課題を解決するために、本発明では、測位装置により測定された各時点の現在位置のデータを用いて、当該各時点の現在位置を１つ１つの点とし、当該１つ１つの点を所定形状で描画した移動軌跡点列を生成する。その際、当該１つ１つの点を、透明度が０％より大きく１００％より小さい色を有する同一形状の点として描画することにより、移動軌跡点列を、巡回業務を行う作業員が移動中の場合と非移動中の場合とを識別可能な態様で描画するようにしている。
【国際調査報告】
2014030234.tif 000007
2014030234.tif 000008
2014030234.tif 000009
2014030234.tif 000010